(57)【要約】【課題】近年の情報化社会に対応して被情報提供者に対してアクティブに情報の提供を行うことができる情報提供装置を提供する。【解決手段】本体ケーシング１１に対して所定の軌道を両方向にスライド自在に取り付けられたスライダ１６と、このスライダ１６に装着されて情報表示媒体を保持する情報表示部１７と、スライダ１６を所定の軌道に沿って両方向にスライドさせるモータ１３およびプーリ１２Ａ，１２Ｂ，駆動ベルト１５を備えている。【選択図】    図４
2004317697.tif 000002
【特許請求の範囲】
【請求項１】
機枠に対して所定の軌道を両方向にスライド自在に取り付けられたスライダと、
このスライダに装着されて情報表示媒体を保持する情報表示部と、
前記スライダを所定の軌道に沿って両方向にスライドさせる駆動部材と、
を備えていることを特徴とする情報提供装置。
【請求項２】
前記駆動部材が、機枠の両側に回転自在に取り付けられた一対のプーリと、この一対のプーリ間に巻回された駆動ベルトと、プーリを両方向に回転させる駆動モータを有し、前記スライダに駆動ベルトが連結されている請求項１に記載の情報提供装置。
【請求項３】
前記スライダが機枠の下方側に取り付けられて、情報表示部がスライダに対して垂下された状態で取り付けられている請求項１に記載の情報提供装置。
【請求項４】
前記スライダが機枠の上方側に取り付けられて、情報表示部がスライダ上に位置される状態で取り付けられている請求項１に記載の情報提供装置。
【請求項５】
前記駆動部材を所要の向きに駆動させて前記スライダを任意の方向にスライドさせる制御装置を備えている請求項１に記載の情報提供装置。
【請求項６】
前記機枠が取り付けられる位置の前方側の適宜箇所に配置されて、前記制御装置に人体の位置を示す検知信号を送信する検知センサをさらに備えている請求項５に記載の情報提供装置。
【請求項７】
前記制御装置が、検知センサから送信されてくる検知信号に基づいて、この検知信号が示す人体の位置の側にスライダがスライドされる向きに駆動部材を所要の時間だけ駆動させる請求項６に記載の情報提供装置。
【請求項８】
前記検知センサが、機枠が取り付けられる位置の前方側に、この機枠のスライダがスライドする軌道と平行に所定間隔で配列されている請求項６に記載の情報提供装置。
【請求項９】
前記情報表示部に表示される情報の切り替えを外部から操作する操作スイッチをさらに備えている請求項１に記載の情報提供装置。
【請求項１０】
前記情報表示部にモニタが取り付けられ、このモニタに映像を表示させるビデオ信号を送信するビデオ信号送信部材をさらに備えている請求項１に記載の情報提供装置。
【発明の詳細な説明】
【０００１】
【発明の属する技術分野】
この発明は、アクティブな情報の提供を行う情報提供装置に関する。
【０００２】
【従来の技術】
例えば、ショーウィンドウや展示会，イベント，博物館などで、様々な情報を来訪者などに提供する場合には、従来、パネルの展示や商品の実物を陳列するなどの方法の他、パネルを一定時間毎に捲って異なる情報を循環させながら表示する方法（例えば、特許文献１参照）や、モニタ画面にビデオ映像を流すなどの方法が行われている。
【０００３】
【特許文献１】
実開平７−８８８１号公報
【０００４】
【発明が解決しようとする課題】
しかしながら、上記のような従来の情報提供方法では、被情報提供者は、ショーウィンドウ等で情報を表示している装置や陳列品などの前まで自ら移動して行かなければ、提供されている情報を見ることが出来ない。
【０００５】
このため、情報の提供者側にとっては、提供を行っている情報を見逃されてしまったり、意図した十分な情報の提供を行うことが出来なかったりする場合が発生し、また、被情報提供者の側にとっても重要な情報を見逃してしまったりする場合が発生する。
【０００６】
この発明は、近年の情報化社会に対応して被情報提供者に対してアクティブに情報の提供を行うことができる情報提供装置を提供することを目的としている。
【０００７】
【課題を解決するための手段】
この発明（請求項１に記載の発明）による情報提供装置は、上記目的を達成するために、機枠に対して所定の軌道を両方向にスライド自在に取り付けられたスライダと、このスライダに装着されて情報表示媒体を保持する情報表示部と、前記スライダを所定の軌道に沿って両方向にスライドさせる駆動部材とを備えていることを特徴としている。
【０００８】
【発明の実施の形態】
以下、この発明の最も好適と思われる実施形態について、図面を参照しながら詳細に説明を行う。
【０００９】
図１は、この発明の実施形態における情報提供装置の第１の例を示す側断面図であり、図２は図１のＩＩ−ＩＩ線における断面図である。
【００１０】
この図１および２において、情報提供装置１０は、本体ケーシング１１が水平方向に延びる長軸の箱形状をしており、この本体ケーシング１１の両端部分の内部に、一対のプーリ１２Ａおよび１２Ｂが、その回転軸１２Ａａ，１２Ｂａが水平方向でかつ本体ケーシング１１の長軸方向と直角方向に延びる向きに回転自在に取り付けられている。
【００１１】
一方の側（図２において右側）に位置するプーリ１２Ａの回転軸１２Ａａの後端側（図１のおいて右端側）には、本体ケーシング１１内に固定されて支持されたモータ１３の回転軸が図示しないギアボックスを介して連結されて、プーリ１２Ａが、このモータ１３の駆動によって回転されるようになっている。
【００１２】
また、プーリ１２Ａの回転軸１２Ａａの前端側（図１のおいて左端側）には、支持ローラ１４が同軸状に取り付けられて、この支持ローラ１４が本体ケーシング１１の底板１１Ａ上を転動することにより、回転軸１２Ａａの前端部が支持されている。
【００１３】
この一対のプーリ１２Ａと１２Ｂの間には、駆動ベルト１５が巻回されていて、モータ１３の駆動によるプーリ１２Ａの回転に伴って、正逆両方向に搬送駆動されるようになっている。
【００１４】
この駆動ベルト１５の下側に位置する部分には、スライダ１６が駆動ベルト１５の搬送駆動に伴って水平方向に一体的にスライドするように取り付けられている。
【００１５】
そして、このスライダ１６に、後述するような各種の情報表示媒体を保持可能な情報表示部１７が、吊り下げられた状態で取り付けられている。
【００１６】
この情報表示部１７には、種々の情報表示媒体、例えば、パネルや絵画，ポスタなどの他、書籍やＣＤ，ＤＶＤ，装飾品，化粧品，食品，筆記具などの各種製品の陳列が可能になっている。
また、情報表示部１２には、液晶モニタの取り付けも可能である。
【００１７】
図３は、この情報提供装置１０の制御部の接続の態様を、情報提供装置１０がショーウィンドウに取り付けられている状態で示している。
【００１８】
この図３において、情報提供装置１０の制御部は、コントロールボックス１８内に収納されたマイクロコンピュータやシーケンサなどの制御装置、および、モータ１３やその他の電装品への電源供給のための電源コントローラなどによって構成されている。
【００１９】
そして、このコントロールボックス１８の電源コントローラは、電源線Ｌ１によってモータ１３に接続されている。
【００２０】
また、後述するように、情報表示部１７にモニタが搭載される場合には、このモニタと制御装置であるマイクロコンピュータとが信号線Ｌ２によって接続されている。
【００２１】
コントロールボックス１８の制御装置には、後述するように、ショーウィンドウＷの前面ガラスＧの前面上部に配列される人体検知センサＳから、信号線Ｌ３を介して、人体検知信号が入力されるようになっている。
【００２２】
図４は、情報提供装置１０がショーウィンドウＷに取り付けられた時の作動の状態を示す説明図である。
【００２３】
この図４において、情報提供装置１０は、ショーウィンドウＷ内の天井部に、本体ケーシング１１が前面ガラスＧと平行に延び、情報表示部１７がこの本体ケーシング１１から垂下された状態で取り付けられる（図３参照）。
【００２４】
そして、このショーウィンドウＷには、その前面ガラスＧの外面の上縁部に沿って複数個（図示の例では５個）の人体検知センサＳが等間隔に配置されている。
【００２５】
この様にして情報提供装置１０が取り付けられたショーウィンドウＷの前に来訪者Ｈが立つと、この来訪者Ｈが立った位置の上方に配置されている人体検知センサＳ（図示の例では、右から二番目の人体検知センサＳ１）によって検知されて、その来訪者Ｈの人体検知信号がこの来訪者Ｈの位置データとともにコントロールボックス１８の制御装置に出力される。
【００２６】
コントロールボックス１８の制御装置は、この人体検知センサＳ（Ｓ１）からの人体検知信号の入力によって情報提供装置１０の駆動制御を開始して、あらかじめ設定されているプログラムにしたがって、モータ１３の駆動制御を行うことにより、本体ケーシング１１から垂下されている情報表示部１７を、来訪者Ｈが立っている位置の方向に水平にスライドさせることにより、その来訪者Ｈの正面に位置させる。
【００２７】
すなわち、情報提供装置１０は、人体検知センサＳによる来訪者Ｈの検知によってその駆動制御が開始されると、コントロールボックス１８の制御装置において情報表示部１７の現在位置の位置データと人体検知センサＳによって検出された来訪者Ｈの位置データとの比較が行われて、この比較により設定した時間だけ、電源コントローラの切替によって、モータ１３を一方向に駆動させる。
【００２８】
図４の例では、正面から見てプーリ１２Ａ（図１参照）が反時計回りに回転される向きにモータ１３が駆動されて、スライダ１６が右方向にスライドされる。
【００２９】
そして、コントロールボックス１８の制御装置によって設定された時間の経過後、モータ１３の駆動が停止され、これによって、スライダ１６とともにスライドされる情報表示部１７が、来訪者Ｈの正面位置に位置される。
【００３０】
なお、来訪者Ｈの立っている位置が、図５において情報表示部１７の最初の位置の左側である場合には、モータ１３がプーリ１２Ａを上記の場合と逆の方向（図４において時計回り方向）に回転させる向きに駆動される。
【００３１】
このようにして、情報提供装置１０の情報表示部１７が来訪者Ｈの正面まで移動してくることにより、来訪者Ｈは、この情報表示部１７から発信されてくる各種情報を得ることが出来るようになる。
【００３２】
なお、この情報表示部１７が来訪者Ｈの正面位置までスライドされる際の態様は、上記のように来訪者Ｈの正面位置までストレートに移動される場合に限らず、制御装置に設定されたプログラムによってモータ１３の駆動方向を乱数決定することにより、ランダムな動きによって情報表示部１７が来訪者Ｈに接近してゆくようにすることもでき、これによって、来訪者Ｈの注意をさらに喚起することが出来るようになる。
【００３３】
また、この情報提供装置１０の情報表示部１２にＰＤＰや液晶パネルなどのモニタが取り付けられている場合には、情報表示部１７が来訪者Ｈの正面に位置された際に、または、来訪者Ｈが人体検知センサＳによって検知されて情報表示部１７のスライドが開始される際に、コントロールボックス１８の制御装置から情報表示部１７のモニタにビデオ信号が送信されて、このモニタに映像が表示される。
【００３４】
このように、情報表示部１７にモニタが取り付けられる場合は、コントロールボックス１８の制御装置へのプログラムによって、様々な情報の供給を瞬時に行うことが出来るようになる。
【００３５】
上記の例において、図４に示されるように、ショーウィンドウＷの前面ガラスＧの表面に、コントロールボックス１８の制御装置に接続された操作スイッチＳＷを取り付けて、来訪者Ｈが自ら操作することにより、情報提供装置１０の情報表示部１７に表示される情報を切り替えて選択することができるようにすることもできる。
【００３６】
これによって、対話型の情報発信が可能になる。
操作スイッチＳＷの符号ＳＷａは情報の順送りスイッチ，ＳＷｂは逆送りスイッチＳＷｂ，ＳＷｃは停止スイッチである。
【００３７】
この情報提供装置１０は、上記のようにショーウィンドウ等に設置される場合の他、例えば工場などの見学コースに設置して、見学者の移動に追従して情報表示部１７をスライドさせるような使用方法も可能である。
【００３８】
また、情報提供装置１０は、パネル状の情報表示媒体の他、情報表示部１７に奥行きを持たせることによって、様々な立体形状の商品などの陳列も可能である。
【００３９】
図５は、この発明の実施形態における情報提供装置の第２の例を示す縦断面図であり、図６はこの例における情報提供装置の制御部の接続の態様を、情報提供装置がショーウィンドウに設置されている状態で示している。
【００４０】
この例における情報提供装置２０は、第１の例の情報提供装置１０が情報表示部１７を本体ケーシング１１から垂下した状態で設置されるのに対し、ショーウィンドウの床面等に設置されるものであって、本体ケーシング２１の上側にスライダ２６が位置されるものである。
【００４１】
そして、スライダ２６の上部に、情報表示媒体を載置するテーブル状の情報表示部２７が取り付けられている。
【００４２】
本体ケーシング２１の内部構造については、第１の例の情報提供装置１０と同様であり、同一の符号が付されている。
【００４３】
また、図６において、コントロールボックス１８の接続の態様も、情報提供装置１０の場合と同様である。
【００４４】
図７は、情報提供装置２０がショーウィンドウＷ内の床面に前面ガラスＧと平行に取り付けられている状態を示す作動説明図であり、情報提供装置１０の場合と同様に、人体検知センサＳによって来訪者Ｈの立っている位置が検知されると、情報表示部２７が本体ケーシング１１の長手方向に沿って来訪者Ｈの正面位置までスライドされる。
【００４５】
そして、この情報提供装置２０は、情報表示部２７上に、パネルやモニタなどの平板状の情報表示媒体の他、図示のように、様々な立体形状の商品などを載せて、陳列することも可能である。
【００４６】
上記各例における情報提供装置は、機枠に対して所定の軌道を両方向にスライド自在に取り付けられたスライダと、このスライダに装着されて情報表示媒体を保持する情報表示部と、前記スライダを所定の軌道に沿って両方向にスライドさせる駆動部材とを備えている情報提供装置の実施形態を、その上位概念の実施形態としているものである。
【００４７】
この上位概念を構成する情報提供装置は、例えば、ショーウィンドウや通路の側の天井部や床面に、スライダの軌道がショーウィンドウの前面ガラス面や通路と平行になるように設置される。
【００４８】
そして、ショーウィンドウ等の前に人が立ったり、通路を人が通る際に、その人の位置が例えばセンサなどによって検知されると、検知された人の位置の側にスライダをスライドさせる向きに、駆動部材が駆動される。
【００４９】
これによって、スライダが機枠に設定された軌道に沿ってスライドされて、人が立っている位置に接近され、このスライダに装着された情報表示部に保持されている情報表示媒体が、その人の視界範囲内に位置される。
【００５０】
以上のように、上記情報提供装置は、例えば人体検知センサ等によって人体の位置を検知してその検知信号に基づいて駆動制御を行うことにより、ショーウィンドウ等で、人が立っている位置に向けて情報表示部が自ら移動して行って、その情報表示部に取り付けられている情報表示媒体による情報発信を行うことが出来る。
【００５１】
これによって、近年の情報化社会に対応して被情報提供者に対してアクティブに情報の提供を行うことができるようになる。
【図面の簡単な説明】
【図１】この発明の実施形態における情報提供装置の第１の例を示す側断面図である。
【図２】図２のＩＩ−ＩＩ線における断面図である。
【図３】同例における情報提供装置をその取り付け状態で示す側面図である。
【図４】同例の情報提供装の作動を説明するための説明図である。
【図５】この発明の実施形態における情報提供装置の第２の例を示す側断面図である。
【図６】同例における情報提供装置をその取り付け状態で示す側面図である。
【図７】同例の情報提供装の作動を説明するための説明図である。
【符号の説明】
１０，２０      …情報提供装置
１１，２１      …本体フレーム（機枠）
１２Ａ，１２Ｂ  …プーリ（駆動部材）
１３            …モータ（駆動部材）
１４            …支持ローラ
１５            …駆動ベルト（駆動部材）
１６，２６      …スライダ
１７，２７      …情報表示部
１８            …コントロールボックス（制御装置）
１８Ａ          …ピストンロッド
Ｓ              …人体検知センサ（検知センサ）
ＳＷ            …操作スイッチ
Ｗ              …ショーウィンドウ
Ｈ              …来訪者（人）
【図１】
2004317697.tif 000003
【図２】
2004317697.tif 000004
【図３】
2004317697.tif 000005
【図４】
2004317697.tif 000006
【図５】
2004317697.tif 000007
【図６】
2004317697.tif 000008
【図７】
2004317697.tif 000009